【手続補正書】
【提出日】平成29年7月12日(2017.7.12)
【手続補正１】
【補正対象書類名】特許請求の範囲
【補正対象項目名】全文
【補正方法】変更
【補正の内容】
【特許請求の範囲】
【請求項１】
ガスタービンシステム（２０）と、
流体噴射システム（１２）と、
移動式発電ユニット（１０）と、
センサ（９０）と、
コントローラ（８０）と、
を備える、システムであって、
前記ガスタービンシステム（２０）は、
タービン（６０）と、
燃焼器（５１）と、
圧縮機（５０）と、
を備え、
前記圧縮機（５０）は、吸気口（２２）を有し、
前記吸気口（２２）が、前記圧縮機（５０）に空気流を供給するように構成されており、
前記流体噴射システム（１２）は、
流体洗浄システム（７０）と、
防氷システム（６２）と、
を備え、
前記洗浄システム（７０）は、前記吸気口（２２）を経由して前記ガスタービンシステム（２０）内に洗浄流体を噴射するように構成された洗浄ロジックを含み、
前記洗浄システム（７０）は、前記ガスタービンシステム（２０）内に前記洗浄流体を噴射するように構成された噴射器（３４）を備え、
前記防氷システム（６２）は、前記吸気口（２２）を経由して前記ガスタービンシステム（２０）内に防氷流体を噴射するように構成された防氷ロジックを含み、
前記防氷システム（６２）は、前記噴射器（３４）によって前記ガスタービンシステム（２０）内に前記防氷流体を噴射するように構成され、
前記移動式発電ユニット（１０）は、
移動式トレーラに搭載された前記ガスタービンシステム（２０）と、
前記移動式トレーラに搭載された前記流体噴射システム（１２）の一部と、
を含み、
前記センサ（９０）は、前記ガスタービンシステム（２０）に結合され、前記ガスタービンシステム（２０）内の凝縮着氷条件に関する複数のパラメータを監視するように構成され、
前記コントローラ（８０）は、前記センサ（９０）に結合され、
前記センサ（９０）からの前記複数のパラメータを表す信号を受け取り、
前記複数のパラメータのうちの１つ以上のパラメータに基づいて、前記ガスタービンシステム（２０）の動作中に、前記ガスタービンシステム（２０）内の凝縮着氷条件の存在を判定し、
凝縮着氷条件の存在の前記判定に応じて、前記ガスタービンシステム（２０）の動作中に、前記ガスタービンシステム（２０）内の凝縮氷を取り除く前記防氷システム（６２）を作動させる、
ようにプログラムされた、
システム。
【請求項２】
前記流体洗浄システム（７０）が、前記ガスタービンシステム（２０）の前記吸気口（２２）内に水、洗浄剤、またはこれらの任意の組合せを噴射するように構成されている、請求項１に記載のシステム。
【請求項３】
前記防氷システム（６２）が、前記ガスタービンシステム（２０）の前記吸気口（２２）内にグリコールまたは水−グリコール混合物を噴射するように構成されている、請求項１に記載のシステム。
【請求項４】
前記流体噴射システム（１２）を制御するようにプログラムされ、構成されたコントローラ（８０）を備える、請求項１に記載のシステム。
【請求項５】
前記ガスタービンシステム（２０）の前記吸気口（２２）と、前記流体洗浄システム（７０）からの第１の流体流路（６７）または前記防氷システム（６２）からの第２の流体流路（６８）とを選択的に接続するように前記コントローラ（８０）によって制御される少なくとも１つの弁（６６）を備える、請求項４に記載のシステム。
【請求項６】
前記複数のパラメータは、前記吸気口（２２）内に受け入れられている前記空気流の温度と相対湿度とを含み、
前記コントローラ（８０）は、前記吸気口（２２）内に受け入れられている前記空気流が、約５℃以下の温度、約６０パーセント以上の相対湿度、またはこれらの組み合わせのときに、前記凝縮着氷条件の存在を決定するようにプログラムされている、請求項７に記載のシステム。
【請求項７】
前記防氷システム（６２）が、前記ガスタービンシステム（２０）の前記吸気口（２２）内にグリコールまたは水−グリコール混合物を噴射するように構成されており、前記コントローラ（８０）が、前記ガスタービンシステム（２０）の前記吸気口（２２）内に噴射されるグリコールおよび水の比率を制御するようにプログラムされている、請求項４に記載のシステム。
【請求項８】
ガスタービンシステム（２０）のための流体噴射システム（１２）と、
移動式発電ユニット（１０）と、
センサ（９０）と、
コントローラ（８０）と、
を備える、システムであって、
前記流体噴射システム（１２）は、
流体洗浄システム（７０）と、
防氷システム（６２）と、
を備え、
前記洗浄システム（７０）は、圧縮機（５０）の吸気口（２２）を経由して前記ガスタービンシステム（２０）内に洗浄流体を噴射するように構成された洗浄ロジックを含み、
前記洗浄システム（７０）は、前記ガスタービンシステム（２０）内に前記洗浄流体を噴射するように構成された噴射器（３４）を備え、
前記防氷システム（６２）は、前記吸気口（２２）を経由して前記ガスタービンシステム（２０）内に防氷流体を噴射するように構成された防氷ロジックを含み、
前記防氷システム（６２）は、前記噴射器（３４）によって前記ガスタービンシステム（２０）内に前記防氷流体を噴射するように構成され、
前記移動式発電ユニット（１０）は、
移動式トレーラに搭載された前記ガスタービンシステム（２０）と、
前記移動式トレーラに搭載された前記流体噴射システム（１２）の一部と、
を含み、
前記センサ（９０）は、前記ガスタービンシステム（２０）に結合され、前記ガスタービンシステム（２０）内の凝縮着氷条件に関する複数のパラメータを監視するように構成され、
前記コントローラ（８０）は、前記センサ（９０）に結合され、
前記センサ（９０）からの前記複数のパラメータを表す信号を受け取り、
前記複数のパラメータのうちの１つ以上のパラメータに基づいて、前記ガスタービンシステム（２０）の動作中に、前記ガスタービンシステム（２０）内の凝縮着氷条件の存在を判定し、
凝縮着氷条件の存在の前記判定に応じて、前記ガスタービンシステム（２０）の動作中に、前記ガスタービンシステム（２０）内の凝縮氷を取り除く前記防氷システム（６２）を作動させる、
ようにプログラムされた、
システム。
【請求項９】
前記流体洗浄システム（７０）が、前記ガスタービンシステム（２０）の前記吸気口（２２）内に水、洗浄剤、またはこれらの任意の組合せを噴射するように構成されている、請求項８に記載のシステム。
【請求項１０】
前記防氷システム（６２）が、前記ガスタービンシステム（２０）の前記吸気口（２２）内にグリコールまたは水−グリコール混合物を噴射するように構成されている、請求項８に記載のシステム。
【請求項１１】
前記防氷システム（６２）が、カート（６２）上に配置される少なくとも１つのタンク（２６）を備える、請求項８に記載のシステム。
【請求項１２】
前記コントローラ（８０）が、前記流体洗浄システム（７０）を制御するようにプログラムされている、請求項８に記載のシステム。
【請求項１３】
前記流体噴射システム（１２）が、前記ガスタービンシステム（２０）の前記吸気口（２２）と、前記流体洗浄システム（７０）からの第１の流体流路（６７）または前記防氷システム（６２）からの第２の流体流路（６８）とを接続するように前記コントローラ（８０）によって制御される少なくとも１つの弁（６６）を備える、請求項１２に記載のシステム。
【請求項１４】
前記複数のパラメータは、前記吸気口（２２）内に受け入れられている前記空気流の温度と相対湿度とを含み、
前記コントローラ（８０）は、前記吸気口（２２）内に受け入れられている前記空気流が、約５℃以下の温度、約６０パーセント以上の相対湿度、またはこれらの組み合わせのときに、前記凝縮着氷条件の存在を決定するようにプログラムされている、請求項１２に記載のシステム。
【請求項１５】
前記防氷システム（６２）が、前記ガスタービンシステム（２０）の前記吸気口（２２）内にグリコールまたは水−グリコール混合物を噴射するように構成されており、
前記コントローラ（８０）が、前記ガスタービンシステム（２０）の前記吸気口（２２）内に噴射されるグリコールおよび水の比率を制御するようにプログラムされている、
請求項１２に記載のシステム。